(57)【要約】【課題】モータや伝達機構を収容するケースを２つのケース部材によって構成した場合でも、ケースの内部への水の侵入を抑制することのできる冷蔵庫用駆動装置を提供すること。【解決手段】冷蔵庫用駆動装置１において、ケース２は、第１ケース部材２１と、第１ケース部材２１との間にモータや伝達機構等を収容する第２ケース部材２２とを備えている。このため、ケース２の上面２８では、第１ケース部材２１と第２ケース部材２２との境目２５が露出している。そこで、ケース２に対して、上面２８を外側から覆う板状の防水部材３を着脱可能に取り付け、境目２５からの水の侵入を抑制する。ケース２の上面２８では、境目２５が露出している部分がリブ状の凸部あるいは溝状の凹部からなる係合部２３になっており、防水部材３においてケース２と重なる面には、係合部２３が嵌る溝状の凹部あるいはリブ状の凸部からなる被係合部３１が設けられている。【選択図】図４
2017227403.tif 000002
【特許請求の範囲】
【請求項１】
モータと、
前記モータの回転を伝達する伝達機構と、
前記伝達機構を介して伝達された前記モータの駆動力によって駆動される出力部材と、
ケースと、
を有し、
前記ケースは、第１ケース部材と、前記第１ケース部材との間に前記出力部材の少なくとも一部、前記伝達機構、および前記モータを収容する第２ケース部材と、を備え、
前記ケースにおいて前記第１ケース部材と前記第２ケース部材との境目が露出する少なくとも１つのケース面には、前記境目を外側から覆う板状の防水部材が着脱可能に取り付けられていることを特徴とする冷蔵庫用駆動装置。
【請求項２】
前記ケース面では、前記境目が露出している部分がリブ状の凸部あるいは溝状の凹部からなる係合部になっており、
前記防水部材において前記ケースと重なる面には、前記係合部が嵌る溝状の凹部あるいはリブ状の凸部からなる被係合部が設けられていることを特徴とする請求項１に記載の冷蔵庫用駆動装置。
【請求項３】
前記ケース面では、前記境目が露出している部分がリブ状の凸部からなる係合部になっており、
前記防水部材において前記ケースと重なる面には、前記係合部が嵌る溝状の凹部からなる被係合部が設けられていることを特徴とする請求項１に記載の冷蔵庫用駆動装置。
【請求項４】
前記ケース面では、前記境目が露出している部分が溝状の凹部からなる係合部になっており、
前記防水部材において前記ケースと重なる面には、前記係合部が嵌るリブ状の凸部からなる被係合部が設けられていることを特徴とする請求項１に記載の冷蔵庫用駆動装置。
【請求項５】
前記ケース面では、前記境目が直線的に延在していることを特徴とする請求項２から４までの何れか一項に記載の冷蔵庫用駆動装置。
【請求項６】
前記防水部材は、前記係合部と前記被係合部との嵌合によって前記ケースに着脱可能に取り付けられていることを特徴とする請求項２から５までの何れか一項に記載の冷蔵庫用駆動装置。
【請求項７】
前記凹部は、底部の幅が開口幅より広く、
前記凸部は、根元部分の幅が先端面の幅より狭いことを特徴とする請求項２から６までの何れか一項に記載の冷蔵庫用駆動装置。
【請求項８】
前記防水部材の前記ケースとは反対側の外面は、傾斜面になっていることを特徴とする請求項１から７までの何れか一項に記載の冷蔵庫用駆動装置。
【請求項９】
前記ケースは、前記ケース面が上向きに配置されることを特徴とする請求項１から８までの何れか一項に記載の冷蔵庫用駆動装置。
【発明の詳細な説明】
【技術分野】
【０００１】
本発明は、冷蔵庫において引き出しの開閉や扉の開閉等に用いられる冷蔵庫用駆動装置に関するものである。
【背景技術】
【０００２】
冷蔵庫に用いられた引き出しや扉については、隙間から冷気が漏れることを防止するため、マグネットによる吸着を利用して引き出しや扉を冷蔵庫本体に吸着させて密閉状態とすることがある。この場合、引き出しや扉を閉位置から開位置に移動させ始める際に、
大きな力を必要とする。そこで、引き出しを閉位置から開位置に移動させる動作を補助する冷蔵庫用駆動装置が提案されており、冷蔵庫用駆動装置では、モータ、モータの回転を伝達する伝達機構、および伝達機構を介して伝達されたモータの駆動力によって駆動される出力部材が設けられている。また、出力部材の少なくとも一部、モータ、および伝達機構はケースに収容されている（特許文献１参照）。
【先行技術文献】
【特許文献】
【０００３】
【特許文献１】特開平１１−２０１６３１号公報
【発明の概要】
【発明が解決しようとする課題】
【０００４】
特許文献１に記載の冷蔵庫用駆動装置を構成する場合、ケースを２つのケース部材によって構成し、２つのケース部材の間にモータや伝達機構を収容することが多いが、その場合、ケースの側面には、２つのケース部材の境目が露出した状態となる。その結果、境目から水が侵入し、モータ等に不具合が発生するおそれがある。
【０００５】
以上の問題点に鑑みて、本発明の課題は、モータや伝達機構を収容するケースを２つのケース部材によって構成した場合でも、ケースの内部への水の侵入を抑制することのできる冷蔵庫用駆動装置を提供することにある。
【課題を解決するための手段】
【０００６】
上記問題を解決するために、本発明に係る冷蔵庫用駆動装置は、モータと、前記モータの回転を伝達する伝達機構と、前記伝達機構を介して伝達された前記モータの駆動力によって駆動される出力部材と、ケースと、を有し、前記ケースは、第１ケース部材と、前記第１ケース部材との間に前記出力部材の少なくとも一部、前記伝達機構、および前記モータを収容する第２ケース部材と、を備え、前記ケースにおいて前記第１ケース部材と前記第２ケース部材との境目が露出する少なくとも１つのケース面には、前記境目を外側から覆う板状の防水部材が着脱可能に取り付けられていることを特徴とする。
【０００７】
本発明において、ケースに２つのケース部材（第１ケース部材および第２ケース部材）を用いたため、２つのケース部材の境目が露出しているケース面が存在するが、かかるケース面には、板状の防水部材が取り付けられている。このため、水が境目からケースの内部に侵入しようとすることを抑制することができるので、モータや伝達機構等が水によって不具合を発生させることを抑制することができる。また、防水部材はケースに着脱可能であるため、防水部材をケースに容易に取り付けることができる。
【０００８】
本発明において、前記ケース面では、前記境目が露出している部分がリブ状の凸部あるいは溝状の凹部からなる係合部になっており、前記防水部材において前記ケースと重なる
面には、前記係合部が嵌る溝状の凹部あるいはリブ状の凸部からなる被係合部が設けられている態様を採用することができる。例えば、前記ケース面では、前記境目が露出している部分がリブ状の凸部からなる係合部になっており、前記防水部材において前記ケースと重なる面には、前記係合部が嵌る溝状の凹部からなる被係合部が設けられている態様を採用することができる。本発明において、例えば、前記ケース面では、前記境目が露出している部分が溝状の凹部からなる係合部になっており、前記防水部材において前記ケースと重なる面には、前記係合部が嵌るリブ状の凸部からなる被係合部が設けられている態様を採用してもよい。かかる態様によれば、防水部材とケースとの間に水が侵入しても、防水部材とケースとの間への水の侵入口から境目までの距離が長く、かつ、防水部材とケースとの間への水の侵入口から境目までの経路が屈曲している。このため、水が境目から侵入することを抑制することができる。
【０００９】
本発明では、前記ケース面では、前記境目が直線的に延在している態様を採用することができる。
【００１０】
本発明において、前記防水部材は、前記係合部と前記被係合部との嵌合によって前記ケースに着脱可能に取り付けられている態様を採用することができる。
【００１１】
本発明において、前記凹部は、底部の幅が開口幅より広く、前記凸部は、根元部分の幅が先端面の幅より狭い態様を採用することができる。
【００１２】
本発明において、前記防水部材の前記ケースとは反対側の外面は、傾斜テーパ面になっている態様を採用してもよい。
【００１３】
本発明において、前記ケースは、前記ケース面が上向きに配置される態様を採用することができる。
【発明の効果】
【００１４】
本発明において、ケースに２つのケース部材（第１ケース部材および第２ケース部材）を用いたため、２つのケース部材の境目が露出しているケース面が存在するが、かかるケース面には、板状の防水部材が取り付けられている。このため、水が境目からケースの内部に侵入しようとすることを抑制することができるので、モータや伝達機構等が水によって不具合を発生させることを抑制することができる。また、防水部材はケースに着脱可能であるため、防水部材をケースに容易に取り付けることができる。
【図面の簡単な説明】
【００１５】
【図１】本発明に係る冷蔵庫用駆動装置を冷蔵庫に搭載した場合の一例を示す説明図である。
【図２】本発明の実施の形態１に係る冷蔵庫用駆動装置の斜視図である。
【図３】図２に示す冷蔵庫用駆動装置のケースの内側に収容した伝達機構等の説明図である。
【図４】図２に示す冷蔵庫用駆動装置において、ケースから防水部材を外した状態の斜視図である。
【図５】本発明の実施の形態２に係る冷蔵庫用駆動装置の斜視図である。
【図６】図５に示す冷蔵庫用駆動装置において、ケースから防水部材を外した状態の斜視図である。
【図７】本発明の実施の形態３に係る冷蔵庫用駆動装置の斜視図である。
【図８】本発明の実施の形態４に係る冷蔵庫用駆動装置のケースの上面を拡大して示す説明図である。
【発明を実施するための形態】
【００１６】
図面を参照して、本発明を実施するための形態を説明する。なお、以下の説明においては、冷蔵庫用駆動装置１として、冷蔵庫の引き出しを閉状態から開状態に移動させ始める際に引き出しを開方向の途中位置まで駆動する装置を中心に説明する。以下の説明において、左右方向（第１方向）にＸを付し、前後方向（第２方向）にＹを付し、上下方向（第３方向）にＺを付して説明する。また、左右方向Ｘでは左側（一方側）にＸ１を付し、右側（他方側）にＸ２を付し、前後方向Ｙでは、後側（一方側）にＹ１を付し、前側（他方側）にＹ２を付し、上下方向Ｚでは、下側（一方側）にＺ１を付し、上側（他方側）にＺ２を付してある。
【００１７】
［実施の形態１］
（冷蔵庫用駆動装置１の使用例）
図１は、本発明に係る冷蔵庫用駆動装置１を冷蔵庫に搭載した場合の一例を示す説明図である。図１に示すように、冷蔵庫１００の筐体１１０の内部において、上部には冷蔵室１２０が設けられ、冷蔵室１２０の前方には扉１３０が設けられている。また、冷蔵室１２０の下段には冷凍用の引き出し１４０が設けられ、冷凍用の引き出し１４０の下段には野菜室用の引き出し１５０が設けられている。引き出し１４０、１５０は筐体１１０に設けたレール（図示せず）に支持されている。
【００１８】
このように構成した冷蔵庫１００において、引き出し１４０、１５０は、閉状態では、磁石を用いた吸着機構等によって筐体１１０に吸着されている。このため、引き出し１４０、１５０を引き出して開状態とするには、吸着機構に抗する大きな力が必要である。そこで、本形態では、引き出し１４０、１５０と筐体１１０との間に冷蔵庫用駆動装置１が設けられており、所定のスイッチ操作を行った際、冷蔵庫用駆動装置１が引き出し１４０、１５０を開方向に駆動し、引き出し１４０、１５０を筐体１１０から離間させる。従って、利用者は、吸着機構が効かない状態で引き出し１４０、１５０を開方向に引き出すことができるので、大きな力を必要としない。
【００１９】
（冷蔵庫用駆動装置１の構成）
図２は、本発明の実施の形態１に係る冷蔵庫用駆動装置１の斜視図である。図３は、図２に示す冷蔵庫用駆動装置１のケース２の内側に収容した伝達機構５等の説明図であり、図３（ａ）、（ｂ）は、伝達機構５等の斜視図、およびスイッチ部材８を外した状態の斜視図である。
【００２０】
図２に示すように、冷蔵庫用駆動装置１は、左右方向Ｘの寸法が前後方向Ｙの寸法および上下方向Ｚの寸法より小さい直方体形状のケース２を有しており、ケース２の前面２６からは出力部材６の前端部６１が突出している。出力部材６は、さらに前方に突出した際、図１に示す引き出し１４０、１５０を前方に引き出す。ケース２の後面２７からはケーブル７５が引き出されている。
【００２１】
本形態において、ケース２は、左側Ｘ１の第１ケース部材２１と、第１ケース部材２１に重なる右側Ｘ２の第２ケース部材２２とからなり、ケース２の前面２６、後面２７、上面２８および下面２９には、第１ケース部材２１と第２ケース部材２２との境目２５が存在する。本形態では、第１ケース部材２１には、先端側に係合穴２１６が形成されたフック２１５が複数形成されている一方、第２ケース部材２２には、フック２１５の係合穴２１６が嵌る係合凸部２２５が複数形成されている。従って、第１ケース部材２１と第２ケース部材２２とは、フック２１５と係合凸部２２５とによって結合されている。
【００２２】
冷蔵庫用駆動装置１において、ケース２の内部には、図３に示す機構部品が収容されている。より具体的には、ケース２の内部には、基板７に搭載されたモータ４と、モータ４
の回転を伝達する伝達機構５と、伝達機構５を介して伝達されたモータ４の駆動力によって駆動される出力部材６の基端側とが配置されている。モータ４の出力軸にはウォーム４１が取り付けられている。伝達機構５は、第１歯車５１、第２歯車５２および第３歯車５３からなり、第１歯車５１、第２歯車５２および第３歯車５３は各々、図２に示す第２ケース部材２２に形成された３つの軸部（図示せず）に回転可能に支持されている。
【００２３】
第１歯車５１は、ウォーム４１と噛み合うヘリカルギア５１１と、ヘリカルギア５１１と一体に回転する歯車５１２とを備えており、ヘリカルギア５１１と歯車５１２との間にはクラッチ機構が構成されている。第２歯車５２は、歯車５１２と噛み合う歯車５２１と、歯車５２１と一体に形成された歯車５２２とを備えており、歯車５２１は、歯車５２２より大径である。第３歯車５３は、歯車５２２と噛み合う歯車５３１と、歯車５３１と一体に形成された歯車５３２とを備えており、歯車５３１は、歯車５３２より大径である。
【００２４】
出力部材６は、前後方向Ｙに延在する棒状部材であり、図２に示す第２ケース部材２２に形成されたガイド（図示せず）によって前後方向に移動可能に支持されている。出力部材６の下面には、歯車５３２と噛み合うラック６５が形成されている。このため、モータ４が回転した際、モータ４の回転が伝達機構５によって伝達されるので、出力部材６は、歯車５３２およびラック６５により構成されたラックピニオン機構によって前後方向に駆動される。
【００２５】
基板７には、図２に示すケーブル７５が接続されているとともに、基板７の前面にはタクトスイッチ７０が搭載されている。タクトスイッチ７０の前側Ｙ２にはスイッチ部材８が第２ケース部材２２によって前後方向Ｙに移動可能に配置されている。スイッチ部材８は、前端側に、第３歯車５３の回転中心部５３４が内側に位置する穴８１が形成されているとともに、穴８１の前側Ｙ２にはカム面８２が形成されている。スイッチ部材８は、コイルバネからなる付勢部材８５によって後側Ｙ１に付勢されている。また、第３歯車５３の回転中心部５３４の周方向の１個所には径方向外側に突出したカム用の凸部５３５が形成されている。従って、第３歯車５３が回転して凸部５３５がカム面８２を前方に押圧した際には、スイッチ部材８が前側Ｙ２に移動し、タクトスイッチ７０から離間する。これに対して、凸部５３５によるカム面８２の押圧が停止すると、スイッチ部材８は、付勢部材８５の付勢力によって後側Ｙ１に移動してタクトスイッチ７０を押圧する。従って、タクトスイッチ７０から出力された信号に基づいて、モータ４を制御すれば、出力部材６の前後方向Ｙの位置を制御することができる。
【００２６】
（防水対策）
図４は、図２に示す冷蔵庫用駆動装置１において、ケース２から防水部材３を外した状態の斜視図である。図２を参照して説明したように、冷蔵庫用駆動装置１において、ケース２は、第１ケース部材２１と、第１ケース部材２１との間に出力部材６の少なくとも一部、伝達機構５、およびモータ４を収容する第２ケース部材２２とを備えていることから、ケース２の前面２６、後面２７、上面２８および下面２９では、第１ケース部材２１と第２ケース部材２２との境目２５が直線状に延在した状態で露出している。このため、冷蔵庫用駆動装置１を冷蔵庫１００に搭載した場合、冷蔵庫１００の内部を清掃する際や、冷蔵庫１００の内部で水を溢した際、水が境目２５からケース２の内部に侵入するおそれがある。
【００２７】
そこで、本形態では、図２および図４に示すように、ケース２において第１ケース部材２１と第２ケース部材２２との境目２５が露出する少なくとも１つのケース面には、境目２５を外側から覆う板状の防水部材３が着脱可能に取り付けられている。本形態では、冷蔵庫用駆動装置１を冷蔵庫１００に搭載した場合、ケース２の上面２８が上向きに配置されるため、水が上面２８から侵入しやすい。従って、本形態では、ケース２の上面２８（
１つのケース面）に防水部材３が設けられている。
【００２８】
本形態では、ケース２の上面２８では、境目２５が露出している部分がリブ状の凸部２３１からなる係合部２３になっており、防水部材３においてケース２と重なる面には、係合部２３が嵌る溝状の凹部３１１からなる被係合部３１が設けられている。より具体的には、第１ケース部材２１および第２ケース部材２２には、ケース２の上面２８を構成する部分に、上側Ｚ２に張り出した板状凸部２１３、２２３が形成されており、第１ケース部材２１と第２ケース部材２２とを重ねた際、板状凸部２１３、２２３が重なって、リブ状の凸部２３１からなる係合部２３が形成されている。本形態では、係合部２３を被係合部３１に上下方向Ｚからの圧入により嵌めることによって、防水部材３は、ケース２の上面２８に着脱可能に取り付けられている。この状態で、ケース２の境目２５は、防水部材３において被係合部３１を構成する凹部３１１の底部によって塞がれている。防水部材３の左右方向Ｘの寸法は、ケース２の上面２８の左右方向Ｘの寸法と等しく、ケース２の上面２８全体が防水部材３で覆われている。第１ケース部材２１および第２ケース部材２２は樹脂製であり、防水部材３は樹脂製である。但し、防水部材３はゴム製であってもよい。
【００２９】
また、ケース２の前面２６では、上側Ｚ２の端部と出力部材６との間に前側Ｙ２に突出した庇２４が設けられており、庇２４は、ケース２の前面２６の左右方向Ｘの全体に延在している。かかる庇２４は、第１ケース部材２１と第２ケース部材２２において前面２６を構成する面の各々に形成された凸部２１９、２２９によって構成されている。
【００３０】
（本形態の主な効果）
以上説明したように、本形態の冷蔵庫用駆動装置１において、ケース２には、２つのケース部材（第１ケース部材２１および第２ケース部材２２）を用いたため、２つのケース部材の境目２５が露出している上面２８（１つのケース面）が存在するが、かかる上面２８には、板状の防水部材３が取り付けられている。このため、水が境目２５からケース２の内部に侵入しようとすることを抑制することができるので、モータ４、伝達機構５、基板７等が水によって不具合を発生させることを抑制することができる。また、防水部材３はケース２に着脱可能であるため、防水部材３をケース２に容易に取り付けることができる。
【００３１】
また、ケース２の上面２８では、境目２５が露出している部分がリブ状の凸部２３１からなる係合部２３になっており、防水部材３においてケース２と重なる面には、係合部２３が嵌る溝状の凹部３１１からなる被係合部３１が設けられている。このため、防水部材３とケース２との間に水が侵入しても、防水部材３とケース２との間への水の侵入口から境目２５までの距離が長く、かつ、防水部材３とケース２との間への水の侵入口から境目２５までの経路が屈曲している。このため、水が境目２５から侵入することを抑制することができる。また、防水部材３は、ケース２の係合部２３と防水部材３の被係合部３１との嵌合によってケース２に着脱可能に取り付けられているため、防水部材３をケース２に取り付けるための特別の構造を採用する必要がない。
【００３２】
また、本形態では、第１ケース部材２１の前面２６では、出力部材６の上側Ｚ２で前側Ｙ２に突出した庇２４が設けられている。このため、ケース２の前面２６では、出力部材６に向けて垂れようとする水が庇２４によって遮られる。従って、ケース２と出力部材６との隙間からケース２の内部に水が侵入しようとすることを抑制することができる。
【００３３】
［実施の形態２］
図５は、本発明の実施の形態２に係る冷蔵庫用駆動装置１の斜視図である。図６は、図５に示す冷蔵庫用駆動装置１において、ケース２から防水部材３を外した状態の斜視図である。なお、本形態の基本的な構成は実施の形態１と同様であるため、共通する部分には
同一の符号を付してそれらの説明を省略する。
【００３４】
図５および図６に示すように、本形態の冷蔵庫用駆動装置１でも、実施の形態１と同様、ケース２は、第１ケース部材２１と第２ケース部材２２とを備えており、第１ケース部材２１と第２ケース部材２２との間に、図３を参照して説明したモータ４や伝達機構５等が収容されている。また、ケース２の前面２６、後面２７、上面２８および下面２９では、第１ケース部材２１と第２ケース部材２２との境目２５が直線状に延在している状態で露出している。
【００３５】
本形態では、実施の形態１と同様、ケース２の上面２８（１つのケース面）には、第１ケース部材２１と第２ケース部材２２との境目２５を外側から覆う板状の防水部材３が着脱可能に取り付けられている。本形態では、ケース２の上面２８では、境目２５が露出している部分が溝状の凹部２３２からなる係合部２３になっており、防水部材３においてケース２と重なる面には、係合部２３が嵌るリブ状の凸部３１２からなる被係合部３１が設けられている。より具体的には、第１ケース部材２１および第２ケース部材２２には、ケース２の上面２８を構成する部分に、下側Ｚ１に凹んだ切欠き２１４、２２４が形成されており、第１ケース部材２１と第２ケース部材２２とを重ねた際、切欠き２１４、２２４が繋がって、溝状の凹部２３２からなる係合部２３が形成されている。本形態では、係合部２３を被係合部３１に上下方向Ｚからの圧入により嵌めることによって、防水部材３は、ケース２の上面２８に着脱可能に取り付けられている。この状態で、ケース２の境目２５は、防水部材３において被係合部３１を構成する凸部３１２の先端面によって塞がれている。防水部材３の左右方向Ｘの寸法は、ケース２の上面２８の左右方向Ｘの寸法と等しく、ケース２の上面２８全体が防水部材３で覆われている。第１ケース部材２１および第２ケース部材２２は樹脂製であり、防水部材３は樹脂製である。但し、防水部材３はゴム製であってもよい。
【００３６】
このように、本形態の冷蔵庫用駆動装置１においても、実施の形態２と同様、ケース２の上面２８で境目２５が露出しているが、上面２８には、板状の防水部材３が取り付けられている。このため、水が境目２５からケース２の内部に侵入しようとすることを抑制することができるので、モータ４、伝達機構５、基板７等が水によって不具合を発生させることを抑制することができる。また、防水部材３はケース２に着脱可能であるため、防水部材３をケース２に容易に取り付けることができる。また、ケース２の上面２８では、境目２５が露出している部分が溝状の凹部２３２からなる係合部２３になっており、防水部材３においてケース２と重なる面には、係合部２３が嵌るリブの凸部３１２からなる被係合部３１が設けられている。このため、防水部材３とケース２との間に水が侵入しても、防水部材３とケース２との間への水の侵入口から境目２５までの距離が長く、かつ、防水部材３とケース２との間への水の侵入口から境目２５までの経路が屈曲しているため、水が境目２５から侵入することを抑制することができる。また、防水部材３は、ケース２の係合部２３と防水部材３の被係合部３１との嵌合によってケース２に着脱可能に取り付けられているため、防水部材３をケース２に取り付けるための特別の構造を採用する必要がない。
【００３７】
［実施の形態３］
図７は、本発明の実施の形態３に係る冷蔵庫用駆動装置１の斜視図であり、図７（ａ）、（ｂ）は、実施の形態１をベースに防水部材３の構造を変更した構成例を示す説明図、および実施の形態２をベースに防水部材３の構造を変更した構成例を示す説明図である。なお、本形態の基本的な構成は実施の形態１と同様であるため、共通する部分には同一の符号を付してそれらの説明を省略する。
【００３８】
実施の形態１、２では、防水部材３のケース２とは反対側の外面（上面）が平面であっ
たが、本形態では、図７（ａ）、（ｂ）に示すように、防水部材３のケース２とは反対側の外面３２が傾斜面になっている。本形態では、防水部材３の外面３２の左右方向Ｘの中央では、頂部３２０が前後方向Ｙに延在しており、頂部３２０を挟む左右方向Ｘの両側３２１、３２２が下向きの傾斜面になっている。また、防水部材３の左右方向Ｘの寸法は、ケース２の上面２８の左右方向Ｘの寸法と等しく、ケース２の上面２８全体が防水部材３で覆われている。かかる形態によれば、冷蔵庫用駆動装置１の上側Ｚ２から水が垂れてきた場合でも、水は、防水部材３の外面３２において頂部３２０の両側３２１、３２２に流れ落ちる。このため、防水部材３とケース２との間に水が侵入しにくいので、水が境目２５からケース２の内部に侵入しようとすることを抑制することができる。
【００３９】
［実施の形態４］
図８は、本発明の実施の形態４に係る冷蔵庫用駆動装置１のケース２の上面２８を拡大して示す説明図である。なお、本形態の基本的な構成は実施の形態１と同様であるため、共通する部分には同一の符号を付してそれらの説明を省略する。
【００４０】
実施の形態１、２では、係合部２３の開口幅と底部の幅が等しかったが、本形態では、図８（ａ）に示すように、防水部材３において被係合部３１を構成する凹部３１１では、底部の幅（寸法Ｗ１）が開口幅（寸法Ｗ２）より広く、ケース２において係合部２３を構成する凸部２３１では、根元部分の幅（寸法Ｗ２）が先端面の幅（寸法Ｗ１）より狭い。
【００４１】
また、図８（ｂ）に示すように、ケース２において係合部２３を構成する凹部２３２では、底部の幅（寸法Ｗ３）が開口幅（寸法Ｗ４）より広く、防水部材３において被係合部３１を構成する凸部３１２では、根元部分の幅（寸法Ｗ４）が先端面の幅（寸法Ｗ３）より狭い。
【００４２】
かかる構成の場合、防水部材３を前後方向Ｙに移動させて、係合部２３を被係合部３１と係合させ、防水部材３をケース２に着脱可能な状態に取り付ける。かかる構成の場合には、防水部材３が上側Ｚ２に抜けることを防止することができる。
【００４３】
［他の実施の形態］
上記実施の形態では、ケース２の上面２８に防水部材３を設けたが、ケース２の上面２８に限らず、前面２６、後面２７、下面２９等、境目２５が露出している他の面にも防水部材３を設けてもよい。
【００４４】
上記実施の形態では、引き出し１４０、１５０を開くための冷蔵庫用駆動装置１に本発明を適用したが、扉１３０を開くための冷蔵庫用駆動装置に本発明を適用してもよい。
【符号の説明】
【００４５】
１…冷蔵庫用駆動装置、２…ケース、３…防水部材、４…モータ、５…伝達機構、６…出力部材、７…基板、８…スイッチ部材、２１…第１ケース部材、２２…第２ケース部材、２３…係合部、２５…境目、２８…上面（１つのケース面）、３１…被係合部、３２…外面、１００…冷蔵庫、１１０…筐体、１２０…冷蔵室、１３０…扉、１４０、１５０…引き出し、２１３、２２３…板状凸部、２１４、２２４…切欠き、２３１、３１２…凸部、２３２、３１１…凹部、３２０…頂部
【図１】
2017227403.tif 000003
【図２】
2017227403.tif 000004
【図３】
2017227403.tif 000005
【図４】
2017227403.tif 000006
【図５】
2017227403.tif 000007
【図６】
2017227403.tif 000008
【図７】
2017227403.tif 000009
【図８】
2017227403.tif 000010